(57)【要約】【課題】脱水運転中の水槽外への排水を促進する。【解決手段】底部に凹形状の排水部１５を有する水槽１と、水槽１内に回転可能に設けた回転槽４と、回転槽４を回転駆動するモータ１０と、洗濯運転を制御する制御手段４０とを備え、排水部１５には、水槽１内の洗濯水を機外に排水する排水口１５ａと、排水口１５ａよりも正面側に位置する凸形状のガイド２８とが設けられる。ガイド２８は、排水口１５ａにおける回転槽４の脱水回転方向の進行側の端部１５ｂよりも脱水回転方向の手前側に設けられ、かつ、正面側から背面側に向かって脱水回転方向の進行側に傾斜するように形成される。これによって、脱水工程時に、回転槽４の回転により発生する気流によって水槽１の壁面を移動する水滴を、気流の力を利用して排水口１５ａへ誘導することができる。【選択図】図１
2014117296.tif 000002
【特許請求の範囲】
【請求項１】
正面側に開口部を有し、底部に凹形状の排水部を有する水槽と、
前記水槽内に回転可能に設けられた回転槽と、
前記回転槽を回転駆動するモータと、
洗濯運転を制御する制御手段とを備え、
前記排水部には、前記水槽内の洗濯水を機外に排水する排水口と、前記排水口よりも正面側に位置する凸形状のガイドとが設けられ、
前記ガイドは、前記排水口における前記回転槽の脱水回転方向の進行側の端部よりも、前記脱水回転方向の手前側に設けられ、かつ、正面側から背面側に向かって前記脱水回転方向の進行側に傾斜するように形成された洗濯機。
【請求項２】
前記水槽は、水平に対して正面側が上となるように傾斜した請求項１に記載の洗濯機。
【請求項３】
前記排水部は、底面に複数の前記ガイドを設けた請求項１または２に記載の洗濯機。
【請求項４】
前記ガイドの背面側端部は、前記排水口の正面側端部よりも背面側に設けられた請求項１〜３のいずれか１項に記載の洗濯機。
【請求項５】
前記ガイドの先端部に前記脱水回転方向の手前側に向かって突出した凸部が設けられた請求項１〜４のいずれか１項に記載の洗濯機。
【請求項６】
前記ガイドは、正面側の方が背面側よりも高く形成された請求項１〜５のいずれか１項に記載の洗濯機。
【発明の詳細な説明】
【技術分野】
【０００１】
本発明は、衣類等の洗濯を行う洗濯機に関するものである。
【背景技術】
【０００２】
従来、この種の洗濯機は、衣類等の洗濯物を回転槽内で洗い、すすぎ、脱水の一連の工程を実行し、洗濯を行うものである。
【０００３】
衣類に含まれる水分を回転槽の高速回転により遠心脱水する脱水工程では、衣類から脱水された水滴が飛散し、水槽の内壁面に付着する。付着した水滴は、回転槽の回転で水槽内に発生する気流によって水槽の内壁面を移動し、水槽の最下部に設けられている排水口から排水経路を経て機外へ排出されるものである（例えば、特許文献１参照）。
【０００４】
図１３は、特許文献１に記載された従来の洗濯機を示すものである。図１３において、筐体５１内に水槽５２が弾性支持され、水槽５２内に円筒状の回転槽５３が回転可能に設けられている。回転槽５３は、水槽５２の背面側外部に取り付けたモータ５４によって回転駆動される。回転槽５３の周側面に多数の孔５５を設けて水槽５２と連通している。
【０００５】
水槽５２の底部には凹形状の排水部５６が設けられ、排水部５６の最下部に排水口５７が設けられている。脱水工程における回転槽５３の高速回転により衣類から遠心脱水された水滴は、回転槽５３の孔５５から水槽５２の内壁面に衝突し、回転槽５３の回転によるファン効果によって、水槽５２の内壁面を移動し、排水部５６に回収され、最下部に設けられている排水口５７から水槽５２外に排出されるものである。
【先行技術文献】
【特許文献】
【０００６】
【特許文献１】特開２００５−６５９２０号公報
【発明の概要】
【発明が解決しようとする課題】
【０００７】
しかしながら、前記従来の構成では、回転槽５３の回転が低速回転（例えば、８００回転以下）では排水が良好に行われるが、回転槽５３を高速回転（例えば、１２００回転）させた場合、回転槽５３の孔５５によって回転槽５３の回転方向への気流が発生することに加えて、回転槽支持部５８もファン効果を起こすため、水槽５２の背面側から正面側への気流が発生する。そのため、衣類から脱水され、排水部５６に回収された水滴は、気流の影響で排水部５６を正面側に移動するため、排水部５６の背面側に設けられている排水口５７に水滴が落下せず、排水が行われないという課題があった。さらに、気流の影響で水滴が排水部５６から再び水槽５２の内壁面に飛散し、気流の影響で正面側の開口部５９から回転槽５３内に戻って内部の衣類を濡らすため、脱水速度が低下するという課題があった。
【０００８】
本発明は、前記従来の課題を解決するもので、脱水中の水槽外への排水を円滑に行うことができる洗濯機を提供することを目的とする。
【課題を解決するための手段】
【０００９】
前記従来の課題を解決するために、本発明の洗濯機は、正面側に開口部を有し、底部に凹形状の排水部を有する水槽と、前記水槽内に回転可能に設けられた回転槽と、前記回転槽を回転駆動するモータと、洗濯運転を制御する制御手段とを備え、前記排水部には、前
記水槽内の洗濯水を機外に排水する排水口と、前記排水口よりも正面側に位置する凸形状のガイドとが設けられ、前記ガイドは、前記排水口における前記回転槽の脱水回転方向の進行側の端部よりも、前記脱水回転方向の手前側に設けられ、かつ、正面側から背面側に向かって前記脱水回転方向の進行側に傾斜するように形成されたものである。
【００１０】
これによって、脱水工程時に、回転槽の回転により発生する気流によって排水部底面を正面側へ移動しようとする水滴を、気流を利用して排水口へと誘導することができるようになり、排水口から水槽外へ円滑に排出することができる。水槽外への排水を促進することで、排水部に回収された水滴が気流の影響で排水部から飛散して再び衣類に付着することを防ぎ、脱水速度を向上することができる。
【発明の効果】
【００１１】
本発明の洗濯機は、脱水工程中の水槽外への脱水の排水を促進して、衣類の脱水時間を短縮することができる。
【図面の簡単な説明】
【００１２】
【図１】本発明の実施の形態１における乾燥機能を備えた洗濯機の構成図
【図２】同洗濯機のシステム系統図
【図３】同洗濯機の一部切欠要部断面図
【図４】同洗濯機の図３のＡ―Ａ断面図
【図５】同洗濯機の図３のＢ部拡大図
【図６】同洗濯機の図３のＣ―Ｃ断面図
【図７】同洗濯機の水槽近傍の気流の模式図
【図８】同洗濯機の水槽近傍の気流の模式図
【図９】同洗濯機の水槽近傍の気流の模式図
【図１０】本発明の実施の形態２における洗濯機の水槽の一部切欠要部断面図
【図１１】本発明の実施の形態３における洗濯機の水槽の一部切欠要部断面図
【図１２】本発明の実施の形態４における洗濯機の水槽の一部切欠要部断面図
【図１３】従来の洗濯機の構成図
【発明を実施するための形態】
【００１３】
本発明の洗濯機は、正面側に開口部を有し、底部に凹形状の排水部を有する水槽と、前記水槽内に回転可能に設けられた回転槽と、前記回転槽を回転駆動するモータと、洗濯運転を制御する制御手段とを備え、前記排水部には、前記水槽内の洗濯水を機外に排水する排水口と、前記排水口よりも正面側に位置する凸形状のガイドとが設けられ、前記ガイドは、前記排水口における前記回転槽の脱水回転方向の進行側の端部よりも、前記脱水回転方向の手前側に設けられ、かつ、正面側から背面側に向かって前記脱水回転方向の進行側に傾斜するように形成されたものである。
【００１４】
これにより、脱水工程時に、回転槽の回転により発生した気流によって排水部を正面側に移動しようとする水滴を、気流の力を活かして排水口に誘導することができるようになり、排水を促進し、脱水効率を高めて脱水時間を短縮することができる。
【００１５】
上記構成において、前記水槽は、水平に対して正面側が上となるように傾斜してもよい。
【００１６】
これにより、水槽の壁面を移動する水滴は、水槽が傾斜しているために、低い位置となる背面側へ移動しやすくなる。よって、背面側に位置する排水部に向けて移動しやすくなり、排水が促される。
【００１７】
上記構成において、前記排水部は、底面に複数の前記ガイドを設けてもよい。
【００１８】
これにより、それぞれのガイドが排水口方向に誘導する水滴量を分散させることができ、ガイドを越える水滴を減少させて、脱水工程中の水槽外への排水を促進することができる。
【００１９】
上記構成において、前記ガイドの背面側端部は、前記排水口の正面側端部よりも背面側に設けられてもよい。
【００２０】
これにより、排水部の背面側に誘導された水滴を、確実に排水口に回収して機外へ排出することができるようになり、排水を促進することができる。
【００２１】
上記構成において、前記ガイドの先端部に前記脱水回転方向の手前側に向かって突出した凸部が設けられてもよい。
【００２２】
これにより、ガイドに接触した水滴が気流の力でガイドを越えるのを防ぐことができ、脱水工程中の水槽外への排水を促進することができる。
【００２３】
上記構成において、前記ガイドは、正面側の方が背面側よりも高く形成されてもよい。
【００２４】
ガイドは、水滴を背面側へ誘導するため、背面側ほど捕集した水滴量が増加する。したがって、背面側の高さを高くすることにより、水滴がガイドを越えるのを防ぐ効果を高めることができ、脱水工程中の水槽外への排水を促進することができる。
【００２５】
以下、本発明の実施の形態について、図面を参照しながら説明する。なお、本実施の形態によって本発明が限定されるものではない。
【００２６】
（実施の形態１）
図１は、本発明の第１の実施の形態における乾燥機能を備えた洗濯機（所謂、洗濯乾燥機）の構成図、図２は、同洗濯機のシステム系統図、図３は、同洗濯機の一部切欠要部断面図、図４は、図３のＡ―Ａ断面図、図５は、図３のＢ部拡大図、図６は、図３のＣ―Ｃ断面図である。
【００２７】
図１〜図６において、水槽１は、洗濯乾燥機の筐体２の内部で複数のサスペンション機構３により弾性的に支持されている。回転槽４は、正面側に洗濯物５を出し入れする投入口６を有し、略有底筒状に構成して水槽１内に配設されている。回転槽４は、回転軸４ａで回転可能に設けられ、衣類等の洗濯物５を収容する。
【００２８】
回転槽４の周側壁７には全周に亘って多数の孔８が設けられる。回転槽４の周側壁７の内方には、洗濯物５を回転槽４の回転方向へ持ち上げるための撹拌バッフル９が備えられる。水槽１は、水平に対して角度θ（例えば、１０〜２０°）となるように、正面側が上となるように傾斜して設けられる。回転槽４および回転軸４ａは、水槽１の傾斜に合わせて同様の傾斜角度で設けられる。
【００２９】
また、回転槽４の背面側には、回転軸４ａとの強度を増すため、回転軸支持部４ｂが設けられている。図８に示すように、回転軸支持部４ｂは、回転軸４ａを中心として外周側へ向かって放射状に複数形成される。また、複数の回転軸支持部４ｂの間は、乾燥工程中に回転槽４の背面から回転槽４内に気流を通過させるため、空間部４ｃが設けられる。
【００３０】
水槽１の背面側の外部には、回転槽４を回転駆動するモータ１０が設けてあり、回転槽
４を正逆回転させるようになっている。モータ１０は、ブラシレス直流モータ等で構成され、インバータ制御によって回転速度が自在に変化できるようにしている。
【００３１】
筐体２の正面側には、投入口６を開閉する扉体１１が設けられている。投入口６と対向する水槽１の開口部１ａは、伸縮自在な可撓性のパッキン１２によって筐体２と気密に連結されている。扉体１１は、外から回転槽４の内部が見えるように透明の窓が設けられている。
【００３２】
扉体１１を閉じると、水槽１の開口部１ａに設けられたパッキン１２が扉体１１の内面に密接し、水槽１内は水密、気密空間になって、洗い、すすぎ、脱水、乾燥の各工程を実行する際に、水や空気が外部に漏れない状態にしている。
【００３３】
筐体２内には、給水弁（給水手段）１３が取り付けられ、給水弁１３には、洗剤ケース（図示せず）を介して水槽１に連通する給水経路１４が接続されている。給水弁１３を開閉することにより、水槽１内への水道水の給水と停止をおこなうことができる。
【００３４】
また、水槽１の底部には、洗い工程で使用した洗濯水の排水後に行われる中間脱水工程において、洗濯時に発生した泡が阻害とならないように下方に窪んだ凹形状の排水部１５が設けられる。排水部１５は、水槽１の底部の背面側に設けられる。排水部１５は、底部となる内壁面１５ｃを有し、内壁面１５ｃの最下部には排水口１５ａが設けられる。水槽１は傾斜しているので、排水時には水槽１の背面側に洗濯水が集まり、背面側に設けられている排水口１５ａに向かいやすくなるので、排水が促進される。
【００３５】
排水口１５ａには、排水経路１６が接続されており、排水弁（排水手段）１７が設けられている。排水弁１７を開閉することにより、水槽１内の洗濯水の排水と停止をおこなうことができる。
【００３６】
脱水工程において、回転槽４は、図３および図４に示すように、矢印ロ方向に高速回転する。排水部１５の内壁面には、回転槽４側へ突出した凸形状のガイド２８が設けられる。ガイド２８は、排水部１５のうち、排水口１５ａよりも正面側に形成される。また、ガイド２８は、回転槽４の脱水回転方向となる矢印ロ方向の進行側の端部１５ｂよりも、矢印ロ方向の手前側に設けられる。また、ガイド２８の正面側端部２８ｂから背面側端部２８ａに向かって、矢印ロ方向の進行側に傾斜するように形成される。
【００３７】
排水経路１６には、水槽１の背面側下端近傍にエアートラップ１８を設け、このエアートラップ１８には、上方に延びる圧力検知路１９を介してその上端部に水槽１内の圧力を検知する圧力検知手段２０を設けている。圧力検知手段２０は、例えば、内部にダイアフラムを有し、圧力が加わることで変形するダイアフラムの変形量から圧力を検知する圧力センサ等で構成し、水槽１に給水された洗濯水の水位を検知する。
【００３８】
また、排水経路１６には、排水弁１７の下流側に略Ｕ字状に形成した排水トラップ２１を設けている。排水トラップ２１は、屈曲自在な蛇腹状の排水ホースで形成しており、トラップ高さを排水ホースの内径より高くして、水槽１の底部より下方の筐体２内に設けている。
【００３９】
水槽１の上方前部の周側壁７に排気口２２を設け、水槽１の背面部に送風口２３を設けている。排気口２２と送風口２３は、水槽１の外部上方の正面側から背面側に向けて延設した循環風路２４で連通接続されている。
【００４０】
循環風路２４には、乾燥用空気とともに循環風路２４を通過するリントを捕捉する乾燥
フィルタ装置２５と、乾燥用空気を回転槽４に供給する送風手段２６と、乾燥用空気の除湿および加熱を行うヒートポンプ装置２７を設けている。
【００４１】
送風手段２６は、翼形状を有するファン２６ａと、ファン２６ａを回転駆動するファンモータ２６ｂで構成されている。送風手段２６によって送風される乾燥用空気は、送風口２３から回転槽４内に送風される。
【００４２】
回転槽４の孔８から水槽１内に排出される乾燥用空気は、矢印イで示すように、排気口２２から循環風路２４に流入し、乾燥フィルタ装置２５、ヒートポンプ装置２７、送風手段２６、送風口２３を経て、回転槽４に循環する構成になっている。
【００４３】
ヒートポンプ装置２７は、冷媒を圧縮する圧縮機３０と、圧縮後の高温高圧の冷媒の熱を放熱する放熱器（加熱手段）３１と、高圧の冷媒の圧力を減圧するためのキャピラリーチューブからなる絞り手段３２と、減圧されて低圧となった冷媒が周囲から熱を奪う吸熱器（除湿手段）３３を冷媒が循環するように管路３４で連結している。
【００４４】
送風手段２６により送風される乾燥用空気を循環風路２４に設けた吸熱器３３で冷却除湿し、放熱器３１で加熱して送風口２３から回転槽４へ供給し、排気口２２から循環風路２４に流入して循環する。
【００４５】
また、循環風路２４は、回転槽４から流出した乾燥用空気の一部を循環風路２４外へ排出可能な排出口３５を有し、排気弁３５ａによって開閉自在に構成している。排出口３５と吸熱器３３の間に、循環風路２４内に外気を導入可能な吸気口３６を有し、吸気弁３６ａによって開閉自在に構成している。
【００４６】
排出口３５と吸気口３６の間の循環風路２４には、乾燥用空気とともに循環風路２４を通過するリントを捕捉する乾燥フィルタ装置２５を配設している。
【００４７】
制御手段４０は、筐体２内の下方前部に配設され、モータ１０、給水弁１３、排水弁１７、送風手段２６、ヒートポンプ装置２７等を制御し、洗い、すすぎ、脱水、乾燥の各工程を逐次制御する。そして、水槽１内の圧力および洗濯水の水位を検知する圧力検知手段２０の出力と、モータ１０の回転数を検知するモータ回転数検知手段１０ａの出力が入力される。
【００４８】
以上のように構成された洗濯乾燥機について、以下その動作、作用を説明する。筐体２の正面側上部に設けられた操作表示部４２から、運転コースの選択や各工程の時間を入力することにより、設定内容に基づいて、制御手段４０によって洗濯から乾燥までを一連の動作として実行することができ、また、乾燥工程のみを実行することも任意に選択することができる。
【００４９】
洗濯を行うときは、扉体１１を開いて回転槽４内に洗濯物５を投入し、操作表示部４２から運転コース等を指示入力して運転を開始することにより、給水経路１４から水槽１内に水および洗剤が供給され、モータ１０により回転槽４が回転駆動されて、洗い工程が開始される。
【００５０】
回転槽４が所定の速度（例えば、５０ｒｐｍ）で回転することにより、洗濯物５が内周面の複数箇所に設けられた撹拌バッフル９によって回転方向に持ち上げられ、回転槽４内の上方から落下させることによる、叩き洗いが所定時間繰り返されることにより洗いが行われる。
【００５１】
洗い工程の後、すすぎ工程、脱水工程が実行されることにより洗濯は完了する。すすぎ工程は、まず、排水弁１７を開放し前工程で用いた洗濯水を排水する排水工程、回転槽４を高速回転（例えば、９００ｒｐｍ）することで、洗濯物５に含まれる汚れや洗剤などを水とともに脱水する中間脱水工程、給水弁１３を開放し水槽１に新たに水を供給する給水工程、回転槽４を所定の速度（例えば、５０ｒｐｍ）で回転し、洗濯物５を攪拌する、すすぎ１工程を順次行う。
【００５２】
すすぎ工程を所定回数行った後、前工程の洗濯水を排水弁１７の開放により排水する排水工程、回転槽４を高速回転（例えば、９００〜１７００ｒｐｍ）させ、洗濯物５に含まれる水分や洗剤分を脱水する本脱水工程からなる脱水工程を行う。
【００５３】
ここで、図７〜図９は、回転槽４の高速回転中に水槽１内で発生する気流を模式的に表したものである。
【００５４】
回転槽４が高速回転する中間脱水工程および本脱水工程においては、回転槽４の背面に設けられ、回転軸４ａを支持する羽根形状の回転軸支持部４ｂがファン効果を起こし、図７に示すように、回転槽４の周側壁７の外側と水槽１との間を背面側から正面側に流れ、正面側の投入口６から回転槽４内に入り、回転槽４の内側を正面側から背面側に流れる気流ハを発生させる。
【００５５】
また、回転槽４の周側壁７の外側と空気との粘性や、周側壁７に設けた孔８が抵抗体となるファン効果により、図８に示すように、回転槽４の回転方向（矢印ロ）方向に気流ニが発生する。
【００５６】
そのため、水槽１内では、中間脱水工程や本脱水工程中に、図９に示すように、二つの気流ハと気流ニが合成した時計回り（脱水回転方向である矢印路方向回り）、かつ、正面側に流れる螺旋状の気流ホが発生する。
【００５７】
なお、一般的に水槽１の内壁面と回転槽４の周側壁７の外面との距離は、１０〜１５ｍｍ程度であり、気流の発生源から距離が近いため、水槽１の内壁面近傍の流れは、気流ニが支配的である。
【００５８】
また、排水部１５は、回転槽４と排水部１５の底部となる内壁面１５ｃとの距離が離れており（例えば、５０ｍｍ）、気流ハの流れの影響が水槽１内壁面より比較的強くなる。
【００５９】
ガイド２８が設けられていない場合、脱水工程中に回転槽４の孔８から遠心力により水槽１内へ飛散した水は、遠心力と回転槽４の高速回転の慣性力を受けて、斜め方向に飛散し、水槽１の内壁面に付着する。水槽１の内壁面に付着した水滴は、気流ニによって、正面側、かつ、時計回りに水槽１の内壁面を移動し、排水部１５に回収される。排水部１５に回収された水滴は、大部分が気流ハの影響により排水部１５を正面側に移動し、排水部１５の前端部近傍で、気流ホの影響により水槽１内壁面に飛散し、その一部が投入口６から再び回転槽４内に入り、衣類に再付着する。
【００６０】
本発明では、排水部１５には、排水口１５ａの矢印ロ方向の進行側の端部１５ｂよりも、脱水回転方向（矢印ロ方向）の手前側の内壁面に凸形状のガイド２８を設けられる。ガイド２８は、矢印ロの進行方向側へ水槽１の正面側から背面側に向かって傾斜するよう設けられる。このため、排水部１５を正面側に移動しようとする水滴が、ガイド２８に沿って排水口１５ａ側（水槽１の背面側）へ戻される。
【００６１】
水槽１の正面側に水滴が移動すると、気流ホの影響により、投入口６を経て回転槽４の
内部に水滴が戻り、回転槽４内の衣類等に付着して、脱水速度の低下による脱水時間の延長が起こるが、水滴をガイド２８に沿って排水口１５ａに誘導し、排水を促進することにより、このような不具合が解消される。
【００６２】
さらに、水槽１が水平に対して正面側が上となるように傾斜して構成されているので、水槽１の壁面を移動する水滴は、水槽１が傾斜しているために、低い位置となる背面側へ移動しやすくなる。よって、背面側に位置する排水部１５に向けて移動しやすくなり、排水が促される。
【００６３】
洗濯工程から乾燥工程までを一貫して実行する運転コースを選択入力した場合は、洗濯工程が完了すると、制御手段４０は、洗濯工程に続いて乾燥工程を実行する。また、濡れた衣類等を乾燥させる場合は、乾燥工程のみを実行することができる。
【００６４】
乾燥工程においては、回転槽４内に脱水を終えた洗濯物５あるいは濡れた衣類（以下、衣類と称する）を収容して乾燥工程を実行すると、乾燥工程で設定された回転速度で回転槽４を回転して衣類を撹拌するとともに、送風手段２６およびヒートポンプ装置２７が駆動し、回転槽４内への乾燥用空気の送風循環が開始される。
【００６５】
この乾燥工程においては、水槽１は衣類乾燥機における乾燥室と同様の役割を果たす。この際、乾燥フィルタ装置２５に水滴が付着していると、乾燥フィルタ装置２５の有効面積が低下するため、循環風量が減少する。
【００６６】
ヒートポンプ装置２７は、圧縮機３０の作動により冷媒が圧縮され、この圧力により冷媒は圧縮機３０から管路３４を流れて放熱器３１、絞り手段３２、吸熱器３３、圧縮機３０を循環する。圧縮された冷媒の熱は放熱器３１に流入することにより、放熱器３１内に配設された管路３４に設けられたフィンに接する空気に放熱されるので、循環風路２４を流れる乾燥用空気が加熱される。
【００６７】
加熱された乾燥用空気は、送風口２３から回転槽４へ供給され、衣類５から水分を奪って湿った空気となって排気口２２から循環風路２４へ排出される。衣類５の乾燥の進行に伴って衣類５から糸屑などのリントが発生する。排気口２２から排出された乾燥用空気は乾燥フィルタ装置２５を通過し、空気中に含まれているリントが捕捉される。
【００６８】
乾燥フィルタ装置２５でリントが除去された乾燥用空気は、絞り手段３２により減圧されて低圧となった冷媒が流れる吸熱器３３を通過する際に顕熱と潜熱とが奪われて除湿され、除湿されることにより生じた結露水は貯水部（図示せず）に滴下し、除湿されて乾いた乾燥用空気は、放熱器３１を通過して加熱される。除湿された結露水は、排水経路１６を通って機外へ排水される。
【００６９】
放熱器３１で乾燥用空気が加熱される熱量は、圧縮機３０の消費電力相当分と、吸熱器３３で乾燥用空気から吸熱される熱量の和にほぼ等しいため、放熱器３１は圧縮機３０に入力された電力以上の出力を得て乾燥用空気を加熱することができる。しかしながら、循環風路２４内の乾燥用空気は循環が繰り返されると、乾燥用空気全体が持つ熱量は、圧縮機３０の消費電力相当分から自然放熱された熱量を差し引いた分だけ蓄積し続けることになる。
【００７０】
これとともに、ヒートポンプ装置２７内の冷媒が持つ熱量も増え続け、冷媒の温度および圧力が上昇し、やがて圧縮機３０に過負荷が加わる可能性が生じる。これを回避するために、循環風路２４を流れる乾燥用空気の一部を循環風路２４外へ排気する排出口３５と、外気を循環風路２４内に導入する吸気口３６が設けられている。
【００７１】
制御手段４０は、放熱器３１の入口近傍の管路３４に設けた冷媒温度検知手段４３によって、管路３４を流れる冷媒の温度を検知し、排出口３５と吸気口３６の開閉を制御してヒートポンプ装置２７を安定した状態で動作するようにしている。
【００７２】
ガイド２８は、図６に示すように、背面側端部２８ａを排水口１５ａの正面側端部１５ｄより背面側に配設することが望ましい。この場合、ガイド２８に誘導された水滴が、排水口１５ａから機外に排出されやすくなるため、さらに脱水速度を向上させることができる。
【００７３】
以上のように、本実施の形態においては、底部に凹形状の排水部１５を有する水槽１と、水槽１内に回転可能に設けた回転槽４と、回転槽４を回転駆動するモータ１０と、洗濯運転を制御する制御手段４０とを備え、排水部１５の背面側に水槽１内の洗濯水を機外に排水する排水口１５ａを有し、排水部１５は、排水口１５ａの回転槽４の脱水回転方向の端部１５ｂより脱水回転方向手前側内面に凸形状のガイド２８を設け、ガイド２８は、回転槽４の脱水回転方向側へ水槽１の背面側に向かって傾斜するように形成したものであり、回転槽４が高速回転する中間脱水工程および本脱水工程時に、回転槽４の回転により発生する気流によって、水滴を排水口１５ａへ誘導することができ、排水を促進して脱水速度を向上し、脱水時間を短縮することができる。
【００７４】
なお、本実施の形態では、乾燥機能を有する洗濯乾燥機で説明したが、乾燥機能を有していない洗濯機でも、同様の効果を得ることができる。
【００７５】
なお、ヒートポンプ装置２７の放熱器３１で加熱手段を構成し、吸熱器３３で除湿手段を構成することにより、低い温度で衣類等を乾燥させることができるとともに、少ない消費電力量で所定の乾燥性能を得ることができる。
【００７６】
なお、ヒートポンプ装置２７に代えて、加熱手段にヒータを用い、除湿手段に水冷または空冷式の熱交換器を用いた構成であってもよい。
【００７７】
（実施の形態２）
図１０は、本発明の第２の実施の形態における洗濯乾燥機の水槽の一部切欠要部断面図である。本実施の形態の特徴は、ガイド２８の先端部に、回転槽４の脱水回転方向手前側に向かって突出した凸部２８ｃを設けたものである。他の構成は実施の形態１と同じであり、同一の構成に同一の符号を付して、詳細な説明は実施の形態１のものを援用する。
【００７８】
回転槽４の脱水回転方向の手前側、すなわち、脱水回転方向と逆方向へ凸部２８ｃを突出させたものである。これによって、凸部２８ｃが阻害となり、気流ニによりガイド２８を越える水滴が減少するため、排水口１５ａからの排水を促進する効果を高めることができる。
【００７９】
（実施の形態３）
図１１は、本発明の第３の実施の形態における洗濯乾燥機の水槽の一部切欠要部断面図である。本実施の形態の特徴は、ガイド２８を複数形成したものである。他の構成は実施の形態１と同じであり、同一の構成に同一の符号を付して、詳細な説明は実施の形態１のものを援用する。
【００８０】
ガイド２８を回転槽４の脱水回転方向に複数並べて設けたものである。これによって、気流ニによってガイド２８を越えた水滴が、表面張力によって複数設けたガイド２８とガイド２８との間に形成される間隙２８ｄに入り込み、再び気流ニによって背面側に誘導さ
れるため、排水口１５ａからの排水を促進する効果を高めることができる。
【００８１】
（実施の形態４）
図１２は、本発明の第４の実施の形態における洗濯乾燥機の水槽の一部切欠要部断面図である。本実施の形態の特徴は、ガイド２８の高さを、水槽１の背面側ほど高くしたものである。他の構成は実施の形態１と同じであり、同一の構成に同一の符号を付して、詳細な説明は実施の形態１のものを援用する。
【００８２】
ガイド２８は、水槽１の内面から回転槽４側への突出高さｈを、水槽１の背面側ほど高くなるようにテーパ状に形成したものである。これによって、水滴は水槽１の背面側に誘導されるため、ガイド２８の背面側ほど多くの水滴がガイド２８の側面を流れる。ガイド２８の背面側の高さｈを正面側より高くすることで、ガイド２８を越える水滴が減少し、排水口１５ａからの排水をより促進することができる。
【００８３】
なお、上記実施の形態は、他の実施の形態と組み合わせて実施することができる。
【産業上の利用可能性】
【００８４】
以上のように、本発明にかかる洗濯機は、脱水工程中の水槽外への脱水の排水を促進して、衣類の脱水時間を短縮することができるので、洗濯機として有用である。
【符号の説明】
【００８５】
１  水槽
４  回転槽
１０  モータ
１５  排水部
１５ａ  排水口
２８  ガイド
４０  制御手段
【図１】
2014117296.tif 000003
【図２】
2014117296.tif 000004
【図３】
2014117296.tif 000005
【図４】
2014117296.tif 000006
【図５】
2014117296.tif 000007
【図６】
2014117296.tif 000008
【図７】
2014117296.tif 000009
【図８】
2014117296.tif 000010
【図９】
2014117296.tif 000011
【図１０】
2014117296.tif 000012
【図１１】
2014117296.tif 000013
【図１２】
2014117296.tif 000014
【図１３】
2014117296.tif 000015